(57)【要約】【課題】  オゾン発生器の能力を高めることでオゾンによる油分分解作用及び臭気分解作用をより効果的に発揮できる油分含有廃水処理装置を提供する。【解決手段】  オゾン発生装置１と、油分含有廃水６０の流入口２１及び処理水の流出口２２を有する処理槽２と、オゾン発生装置１で発生したオゾンを処理槽２内の底部から排気するための散気管３と、オゾン発生装置１に空気を供給するエアポンプ４とを備える。オゾン発生装置１は、内部に配置されたオゾン発生源としてのプラズマオゾンランプと、エアポンプ４からの空気を導入するエア導入口と、オゾンを散気管３に排気するオゾン排出口とを有する。【選択図】      図１
2005103343.tif 000002
【特許請求の範囲】
【請求項１】
オゾン発生装置と、油分含有廃水の流入口及び処理水の流出口を有する処理槽と、前記オゾン発生装置で発生したオゾンを前記処理槽内の底部から排気するための散気管と、前記オゾン発生装置に空気を供給するエアポンプとを備え、前記オゾン発生装置は、内部に配置されたオゾン発生源としてのプラズマオゾンランプと、前記エアポンプからの空気を導入するエア導入口と、オゾンを前記散気管に排気するオゾン排出口とを有することを特徴とする油分含有廃水処理装置。
【請求項２】
前記オゾン発生装置のプラズマオゾンランプは、冷陰極管を使用するものであることを特徴とする請求項１記載の油分含有廃水処理装置。
【発明の詳細な説明】
【技術分野】
【０００１】
この発明は、飲食店、食品工場、病院、学校の厨房などにおける油分を含んだ廃水を浄化処理する油分含有廃水処理装置に関する。
【背景技術】
【０００２】
厨房などで発生する油分含有廃水に対しては、通常は各廃水発生源の近くにグリーストラップ（油分分離槽）を設置し、決められた排水基準の数値をクリアするまで油分を除去してから排水するようにしている。しかしながら、グリーストラップは、単に廃水に含まれる油分が下水道等（外部）に流出するのを防ぐだけのものであるため、廃水を浄化したり、悪臭を無くす能力は持っていない。
【０００３】
そこで、廃油水を溜める油水処理槽を設け、廃油水を油水処理槽に導く液送管の途中にバクテリア混合水を蓄える水槽を設け、この水槽からバクテリア混合水を液送管に供給する一方、オゾン発生器で発生したオゾンを散気管により油水処理槽内に注入するようにした廃油水処理装置がある（例えば、特許文献１参照）。
【０００４】
また、油細分化処理液と廃油とを攪拌するための攪拌槽と、攪拌槽で攪拌された攪拌液と水と培養液とを混合して混合液を作るための培養槽と、培養槽で作られた混合液に空気を吹き込んで油脂を分解処理するための油脂分解処理槽を備え、油脂分解処理槽で混合液中の油脂を分解処理した分解処理液にオゾンを吹き込むオゾン槽を設けた廃油処理装置がある（例えば、特許文献２参照）。
【特許文献１】特開平９−３２３０９４号公報
【特許文献２】特開平１０−３３８８８８号公報
【発明の開示】
【発明が解決しようとする課題】
【０００５】
上記特許文献１，２記載の装置では、いずれもオゾン発生器で発生したオゾンの強力な酸化作用により、油分をより効率的に酸化分解するとともに、臭気も酸化分解することで、廃液の浄化と悪臭の防止を実現している。
【０００６】
しかしながら、特許文献１記載の装置では、オゾン発生器と記載されているだけで、オゾン発生器そのものの構造については記載されていない。同様に特許文献２記載の装置でも、オゾン供給源と記載されているだけで、オゾン供給源自体の構造についての記載はない。
【０００７】
ところで、油分を含む廃水をオゾンの酸化作用を利用して効果的に分解処理するには、オゾン発生器の能力をより高めることが重要である。
【０００８】
本発明は、そのような実状に着目してなされたもので、オゾン発生器の能力を高めることでオゾンによる油分分解作用及び臭気分解作用をより効果的に発揮できる油分含有廃水処理装置を提供することを目的とする。
【課題を解決するための手段】
【０００９】
前記目的を達成するために、本発明の油分含有廃水処理装置は、オゾン発生装置と、油分含有廃水の流入口及び処理水の流出口を有する処理槽と、前記オゾン発生装置で発生したオゾンを前記処理槽内の底部から排気するための散気管と、前記オゾン発生装置に空気を供給するエアポンプとを備え、前記オゾン発生装置が、内部に配置されたオゾン発生源としてのプラズマオゾンランプと、前記エアポンプからの空気を導入するエア導入口と、オゾンを前記散気管に排気するオゾン排出口とを有することを特徴とする。
【００１０】
この廃水処理装置では、オゾン発生装置が、内部に配置されたオゾン発生源としてのプラズマオゾンランプと、エアポンプからの空気を導入するエア導入口と、オゾンを散気管に排気するオゾン排出口とを有する構造である。すなわち、エアポンプからの空気をエア導入口からオゾン発生装置内に強制的に送り込み、この導入された空気をプラズマオゾンランプによりオゾンに変換し、このオゾンをオゾン排出口から散気管に排気する。
【００１１】
この廃水処理装置において、オゾン発生装置のプラズマオゾンランプは、冷陰極管を使用するものとするのが好ましい。
【発明の効果】
【００１２】
請求項１記載の発明によれば、オゾンの発生能力が高まり、処理槽における油分含有廃水の油分分解作用及び臭気分解作用が向上し、廃水を効果的に浄化処理できるとともに、脱臭効果も高まる。
【００１３】
請求項２記載の発明によれば、オゾンランプの寿命がフィラメント型ランプの２倍以上となり、耐久性が増す。
【発明を実施するための最良の形態】
【００１４】
以下、実施の形態により、この発明を更に詳細に説明する。
【００１５】
その実施形態に係る油分含有廃水処理装置の模式的構成図を図１に、その廃水処理装置におけるオゾン発生装置の構造の概略断面図を図２に、オゾン発生装置のより具体的な構造の断面図を図３に、そのオゾン発生装置のハウジングの分解斜視図を図４に示す。
【００１６】
この油分含有廃水処理装置は、オゾン発生装置１と、油分含有廃水６０の流入口２１及び処理水の流出口２２を有する処理槽２と、オゾン発生装置１で発生したオゾンを処理槽２内の底部から排気するための散気管３と、オゾン発生装置１に空気を供給するエアポンプ４とを備える。
【００１７】
処理槽２は、ここでは２つの仕切壁２３により３つの部屋に分かれているが、各部屋の底部はつながっており、その底部に配置された散気管３から廃水６０にそれぞれオゾン６１が曝気されるようになっている。図１には示されていないが、処理槽２の流入口２１には厨房などからの配管が接続され、流出口２２には排水管が接続される。なお、仕切壁２３は、１つでも３つ以上であってもよい。
【００１８】
オゾン発生装置１はハウジング１０を備え、ハウジング１０の上部は開閉可能なカバー１１になっており、カバー１１を開けることで内部のメンテナンスを簡単に行うことができるように配慮されている。
【００１９】
ハウジング１０内部には、オゾン発生体１２が取付部１６から吊り下げ状に取付けられている。オゾン発生体１２は、図３に示すように、オゾン発生源としての高圧側及び低圧側のプラズマオゾンランプ３０がギャップ３１を介して並行配置され、プラズマオゾンランプ３０にシリコンポッティング３２が取付けられた構造である。ここでのプラズマオゾンランプ３０は冷陰極管を使用するものである。冷陰極管を使用することで、プラズマオゾンランプ３０の寿命がフィラメント型ランプの２倍以上となり、耐久性が増す。
【００２０】
ハウジング１０に付設された取付部１８には、オゾン発生用インバータ回路等を含む回路部１７が取付けられており、この回路部１７からの高圧側配線３５と低圧側配線３６がオゾン発生体１２の高圧端子と低圧端子（符号は付せず）にそれぞれ接続されている。また、回路部１７は、オゾン発生装置１への通電中であることを示すパイロットランプ４１と、オゾン発生装置１のオゾン発生中であることを示すインジケータランプ４２とを有する。なお、このオゾン発生装置１は、プラグ５５を通じて商用電源（ＡＣ１００Ｖ）を電源とする。
【００２１】
ハウジング１０には、エアポンプ４からの空気を導入するエア導入口１３と、オゾンを散気管３に排気するオゾン排出口１４とが設けられており、エア導入口１３にはエアポンプ４に接続された送気管５１が接続され、オゾン排出口１４には散気管３が接続される。但し、エア導入口１３及びオゾン排出口１４は、図２及び図３ではハウジング１０の同一側面に示されているが、実際には図４に示すようにそれぞれ別の側面に設けられている。ハウジング１０の上部には、オゾン発生体１２を挿入するための穴１９が形成され、この穴１９にオゾン発生体１２を挿入して吊り下げ状に取付ける。
【００２２】
このように構成した油分含有廃水処理装置では、厨房などからの油分含有廃水６０が処理槽２に流入し、廃水６０の油分が上部に溜まる。処理槽２内には散気管３を通じてオゾン発生装置１からのオゾン６１が曝気されるので、オゾン６１により油分が酸化分解されていくに連れて、廃水６０は徐々に濁りが無くなり、サラサラした状態になり、やがて浄化される。これと併行して、廃水６０から発生する臭気も酸化分解され、悪臭が防止される。浄化された処理水は排水管により処理槽２から排水される。
【００２３】
この廃水処理装置によれば、オゾン発生装置１が上記の構造であるため、オゾンの発生能力が高まり、油分含有廃水の油分分解作用及び臭気分解作用が向上し、廃水を効果的に浄化処理できるとともに、脱臭効果も高まる。
【００２４】
しかも、オゾン発生装置１や処理槽２を含む廃水処理装置全体をコンパクトにすることができ、設置スペースを節約できる。
【００２５】
また、オゾン発生装置１のオゾン発生源としてプラズマオゾンランプ３０を使用しているので、既存の紫外線オゾンランプを使用した装置に用いられているフィルターやドライヤーが不要となり、既存装置に比較して寿命が長くなる上、廃水処理装置全体を小型化できる。その上、厨房床下などの悪環境では、既存の紫外線オゾンランプは使い勝手が悪く使用し難いが、この発明では、厨房などから排出される油分含有廃水も含む洗浄水をオゾン発生装置１で処理することで、油分含有廃水を処理できるだけでなく、洗浄水も下水道などの環境に対して優しくなるように処理できる。
【図面の簡単な説明】
【００２６】
【図１】実施形態に係る油分含有廃水処理装置の模式的構成図である。
【図２】同油分含有廃水処理装置におけるオゾン発生装置の構造を示す概略断面図である。
【図３】同油分含有廃水処理装置におけるオゾン発生装置のより具体的な構造の断面図である。
【図４】同油分含有廃水処理装置におけるオゾン発生装置のハウジングの分解斜視図である。
【符号の説明】
【００２７】
１      オゾン発生装置
２      処理槽
３      散気管
４      エアポンプ
１２    オゾン発生体
１３    エア導入口
１４    オゾン排出口
２１    流入口
２２    流出口
２３    仕切壁
３０    プラズマオゾンランプ
６０    油分含有廃水
６１    オゾン
【図１】
2005103343.tif 000003
【図２】
2005103343.tif 000004
【図３】
2005103343.tif 000005
【図４】
2005103343.tif 000006